(57)【要約】【課題】従来の無線装置では、携帯電話の置き忘れ防止や使用中に機能制限がかかってしまうという利便性と、電池寿命の両立がむずかしいという課題があった。【解決手段】本発明の無線装置及びプログラムは、第一の識別信号を含む信号の受信タイミングにおいて、受信レベルチェックを所定時間行い（Ｓ５２）、所定時間の間に受信レベルが所定レベル以上になったとき（Ｓ５３）には第一の識別信号を含む信号を受信したとみなすように構成する。【選択図】図９
2008066821.tif 000002
【特許請求の範囲】
【請求項１】
無線機Ａと無線機Ｂとで構成され、前記無線機Ａは、所定周期で第一の識別信号を含む信号を無線送信し、前記所定周期の整数倍の周期で前記第一の識別信号より長いビット数の第二の識別信号を含む信号を無線送信し、
前記無線機Ｂは、前記無線機Ａが送信する前記第一の識別信号を含む信号及び前記第二の識別信号を含む信号に同期して受信動作を行う無線装置であって、
前記無線機Ｂは、前記第一の識別信号を含む信号の受信タイミングにおいて、受信レベルチェックを所定時間行い、前記所定時間の間に前記受信レベルが所定レベル以上になったときには前記第一の識別信号を含む信号を受信したとみなす無線装置。
【請求項２】
前記無線機Ｂは、前記第一の識別信号を含む信号の受信タイミングにおいて、受信レベルチェックを所定時間行い、前記受信レベルが所定レベル以上になった時点で前記第一の識別信号を含む信号を受信したとみなして受信を中断し、前記所定時間経過した場合は前記第一の識別信号を含む信号を受信しなかったとみなして受信を中断する請求項１記載の無線装置。
【請求項３】
前記無線機Ａが送信する前記第一或いは第二の識別信号を含む信号は、前記無線機Ａと前記無線機Ｂとが相互認証を行うための信号であって、前記無線機Ｂは、前記第一の識別信号を含む信号を受信しなかったとみなした場合が所定の条件で生じた場合は前記無線機Ｂに接続される機器の機能を制限する信号を出力する請求項１或いは請求項２記載の無線装置。
【請求項４】
前記機器の機能を制限する信号を出力した後の前記所定レベルと、前記機器の機能を制限する信号を出力していない時の前記所定レベルとの間にヒステリシスを持たせた請求項３記載の無線装置。
【請求項５】
請求項１〜４のいずれか１項記載の無線装置の少なくとも一部をコンピュータに実現させるためのプログラム。
【発明の詳細な説明】
【技術分野】
【０００１】
本発明は、ワイヤレスキーと本体側装置とで定期的或いは不定期的に無線の送受信を行うことによりお互いの存在を確認しあい、ワイヤレスキーと本体側装置が所定の通信範囲を超えた場合に本体側装置の機能を制限する認証装置に用いることのできる無線装置に関するものである。
【背景技術】
【０００２】
近年、セキュリティを考慮しながら携帯電話、あるいはパソコンをはじめとする電子機器の操作ロックを、ワイヤレスで制御するようにしたセキュリティシステムが実用化されてきている。
【０００３】
かかるセキュリティシステムの一形態として、携帯電話の盗難を防止するために、携帯電話の使用者が、カード形態の識別信号送信機を所持し、前記の携帯電話と識別信号送信機との間で予め定めた識別コードを相互に通信し、双方で識別コードを確認できた時に前記携帯電話の使用を可能とするものがある（例えば特許文献１参照）。
【０００４】
このワイヤレスによる双方向通信システムの特許文献１では、電子機器等の本体側に搭載された機器（以後、認証機器と称する）において、携帯側装置（以降、ワイヤレスキーと称する）から定期的に発せられる認証ＩＤを受信し、前記認証機器に記憶しているＩＤと照合し、一致していなければ本体装置に機能制限をかけることが記されている。
【特許文献１】特開２００４−１４３８０６号公報
【発明の開示】
【発明が解決しようとする課題】
【０００５】
前記従来の構成では、１秒ごとに送信されるＭ系列信号を復調し、前記Ｍ系列信号に含まれる認証ＩＤが認証機器に記憶しているＩＤと一致するかどうかの判定を行っている。そして認証ＩＤの照合を行うためにＭ系列信号のデータ長を短くできず、かつ特許文献１には特別な記載は無いが一般的に前記Ｍ系列信号を正確に復調するためには、前記Ｍ系列信号の前に所定の長さのプリアンブル信号が必要であった。
【０００６】
そのため、送信時間を短くできず、消費電流を削減できないという課題があった。
【０００７】
本発明は、前記従来の課題を解決するもので、例えば、携帯電話などの電子機器の置き忘れや盗難防止機能（セキュリティ機能）を損なうことなく、ワイヤレスキーや携帯電話などの電池寿命を延ばすことのできる無線装置及びそのプログラムを提供することを目的とする。
【課題を解決するための手段】
【０００８】
無線機Ａと無線機Ｂとで構成され、前記無線機Ａは、所定周期で第一の識別信号を含む信号を無線送信し、前記所定周期の整数倍の周期で前記第一の識別信号より長いビット数の第二の識別信号を含む信号を無線送信し、前記無線機Ｂは、前記無線機Ａが送信する前記第一の識別信号を含む信号及び前記第二の識別信号を含む信号に同期して受信動作を行う無線装置であって、前記無線機Ｂは、前記第一の識別信号を含む信号の受信タイミングにおいて、受信レベルチェックを所定時間行い、前記所定時間の間に前記受信レベルが所定レベル以上になったときには前記第一の識別信号を含む信号を受信したとみなす無線装置である。
【０００９】
そして、前記第一の識別信号を含む信号を復調し、ＩＤ照合を行う必要が無いため、プリアンブル信号及び前記第１の識別信号を短くできるので消費電流を削減できることとなる。
【発明の効果】
【００１０】
本発明の無線装置及びプログラムを用いることにより、無線機Ａと無線機Ｂとの消費電力を減らし、たとえば、ワイヤレスキーの電池寿命と置き忘れ、盗難防止の利便性の両立を図ることができる。
【発明を実施するための最良の形態】
【００１１】
第１の発明は、無線機Ａと無線機Ｂとで構成され、前記無線機Ａは、所定周期で第一の識別信号を含む信号を無線送信し、前記所定周期の整数倍の周期で前記第一の識別信号より長いビット数の第二の識別信号を含む信号を無線送信し、前記無線機Ｂは、前記無線機Ａが送信する前記第一の識別信号を含む信号及び前記第二の識別信号を含む信号に同期して受信動作を行う無線装置であって、前記無線機Ｂは、前記第一の識別信号を含む信号の受信タイミングにおいて、受信レベルチェックを所定時間行い、前記所定時間の間に前記受信レベルが所定レベル以上になったときには前記第一の識別信号を含む信号を受信したとみなす無線装置である。
【００１２】
そして、前記第一の識別信号を含む信号を復調し、ＩＤ照合を行う必要が無いため、プリアンブル信号及び前記第１の識別信号を短くできるので消費電流を削減できることとなる。
【００１３】
第２の発明は、前記無線機Ｂは、前記第一の識別信号を含む信号の受信タイミングにおいて、受信レベルチェックを所定時間行い、前記受信レベルが所定レベル以上になった時点で前記第一の識別信号を含む信号を受信したとみなして受信を中断し、前記所定時間経過した場合は前記第一の識別信号を含む信号を受信しなかったとみなして受信を中断する無線装置である。
【００１４】
そして、第１の発明と同様に前記第一の識別信号を含む信号を復調し、ＩＤ照合を行う必要が無いため、プリアンブル信号及び前記第１の識別信号を短くできるので消費電流を削減できることとなる。
【００１５】
第３の発明は、前記無線機Ａが送信する前記第一或いは第二の識別信号を含む信号は、前記無線機Ａと前記無線機Ｂとが相互認証を行うための信号であって、前記無線機Ｂは、前記第一の識別信号を含む信号を受信しなかったとみなした場合が所定の条件で生じた場合は前記無線機Ｂに接続される機器の機能を制限する信号を出力する無線装置である。
【００１６】
そして、例えば、ワイヤレスキーの電池寿命と置き忘れ、盗難防止の利便性の両立を図ることができることとなる。
【００１７】
第４の発明は、前記機器の機能を制限する信号を出力した後の前記所定レベルと、前記機器の機能を制限する信号を出力していない時の前記所定レベルとの間にヒステリシスを持たせた無線装置である。
【００１８】
そして、ヒステリシスを持たせたことにより、機能制限が短時間の間にかかったりかからなかったりするばたつきを防止することができることとなる。
【００１９】
第５の発明は、第１〜４の発明の無線装置の少なくとも一部をコンピュータに実現させるためのプログラムとする。そして、プログラムであるので、電気・情報機器、コンピュ
ータ、等のハードリソースを協働させて本発明の少なくとも一部を簡単なハードウェアで実現できる。また記録媒体に記録したり通信回線を用いてプログラムを配信したりすることでプログラムの配布・更新やそのインストール作業が簡単にできる。
【００２０】
以下、本発明の実施の形態について、図面を参照しながら説明する。なお、この実施の形態によって本発明が限定されるものではない。
【００２１】
（実施の形態１）
図１は本発明の第１の実施の形態における無線装置のブロック図を示すものである。
【００２２】
無線装置は、１は第一のアンテナ、２は無線機Ａ、３は第一の送受信手段、４は第一の時間制御手段、５は第一の認証手段、６は第二のアンテナ、７は無線機Ｂ、８は第二の送受信手段、９は第二の時間制御手段、１０は第二の認証手段から構成される。また１１は無線装置に接続された携帯電話で構成される。
【００２３】
無線機Ａは、たとえば、ワイヤレスキーであり、携帯電話１１の使用者が携行している。そして無線機Ｂは無線機Ａからの電波の受信レベルが弱くなると携帯電話１１に使用制限をかける。図１において、携帯電話１１と無線機Ｂは別体で示しているが、無線機Ｂは携帯電話１１の中に内蔵されることが多い。
【００２４】
図２、図３は無線機Ａ（２）と無線機Ｂ（７）との間の通信シーケンスを示したものである。図２はサーチモードの通信シーケンス、図３は認証モードの通信シーケンスである。
【００２５】
サーチモードとは、無線機Ａと無線機Ｂがお互いの存在を確認しあい、認証モードに移行するためのモードである。
【００２６】
認証モードは無線機Ａと無線機Ｂとの間で時間的な同期をとって定期的に通信を行い、相手の存在を確認しあうモードである。認証モードで相手の存在を確認し、無線機Ｂは所定の受信レベル以上で無線機Ａからの電波の受信している間は携帯電話１１の使用制限をかけていない。
【００２７】
図２を参照しながらサーチモードの通信シーケンスを説明する。
【００２８】
無線機Ａは定期的にサーチ信号１２を送信する。サーチ信号１２を送信する時間間隔は例えば２秒毎である。サーチ信号１２には無線機Ａを示す識別符号が含まれている。
【００２９】
無線機Ｂはサーチ信号１２を受信するとサーチ応答１３を無線機Ａに対して送信する。そして無線機Ａと無線機Ｂのお互いの識別信号のやり取りを含む初期認証シーケンス１０１を実行する。初期認証シーケンス１０１でお互いの存在を確認しあった後、図３の認証モードに移行する。
【００３０】
図３の認証モードへの移行に当たって無線機Ａ及び無線機Ｂは初期認証シーケンス１０１の終了タイミングからタイマーＴ１を起動する。
【００３１】
次に図３の認証モードの通信シーケンスについて説明する。
【００３２】
無線機ＡはタイマーＴ１が４秒の整数倍のタイミングで、第一の識別信号を含む信号である、簡易ＩＤ信号２０を送信する。無線機Ｂは前記簡易ＩＤ信号２０のタイミングで受信を行い受信レベルを測定する。
【００３３】
受信レベルが所定以下であれば無線機Ａとの距離が所定距離以上離れているとして無線機Ｂを構成する第二の認証手段１０に内蔵するカウンターをインクリメントする。そして前記カウンターが所定のカウント数になったら、携帯電話１１に機能制限信号を出力する。
【００３４】
受信レベルが所定レベル以上であれば、前記カウンターをクリアする。すなわち無線機Ａからの４秒毎の簡易ＩＤの受信レベルが連続して所定レベル以下でかつ所定回数に達したときに使用制限信号を出力する。
【００３５】
タイマーＴ１が３２秒になったら、無線機Ａは、第二の識別信号を含む信号である、リクエスト信号２１を送信する。無線機ＢもタイマーＴ１が３２秒になったら、受信を開始しリクエスト信号２１を受信する。そして無線機Ｂは乱数発生器を用いてチャレンジ信号２２を作成し送信する。
【００３６】
無線機Ａは前記リクエスト信号２１を送信するタイミングで再度タイマーＴ１を起動する。そして前記チャレンジ信号２２を受信したら、認証成立と判定し休止状態になる。
【００３７】
無線機Ａは前記チャレンジ信号を受信できない場合は、前記リクエスト信号２１を送信するタイミングからＴ２後にリクエスト信号２３を再送し、リクエスト信号２３を送信するタイミングで再度タイマーＴ１を起動する。
【００３８】
そしてチャレンジ信号２４の再送を受信できなければさらに前記リクエスト信号２３を送信するタイミングからＴ３後にリクエスト信号２５を再送し、リクエスト信号２５を送信するタイミングで再度タイマーＴ１を起動する。チャレンジ信号２６の再送を受信する。
【００３９】
そしてチャレンジ信号２６を受信できないときは前記リクエスト信号２４を送信するタイミングからＴ４後にサーチ信号２７を送信しサーチモードに移行する。
【００４０】
一方、無線機Ｂは、前記リクエスト信号２１を受信したタイミングで無線機Ａの内部時計と無線機Ｂの内部時計の誤差を計測する。そして再度タイマーＴ１を起動する。
【００４１】
ここで、無線機ＡのタイマーＴ１と無線機ＢのタイマーＴ１の時間誤差について考える。時計の絶対精度が±１００ｐｐｍとすると無線機Ａと無線機Ｂの時計の相対誤差は±２００ｐｐｍである。したがって３２秒では±６．４ｍ秒（ΔＴとする）の相対誤差が生じる。
【００４２】
そこでサーチモードから認証モードに移行した最初のリクエスト信号２５の受信に当たっては、上記相対誤差±６．４ｍ秒を考慮して無線機ＢのタイマーＴ１が３２秒を示す６．４ｍ秒前に受信を開始する必要がある。そしてリクエスト信号２５を受信することにより、無線機Ａとの相対誤差ΔＴを計測することができる。
【００４３】
相対誤差ΔＴを計測したら次の３２秒の受信タイミングはタイマーＴ１の示す３２秒からΔＴ補正した時間である。
【００４４】
図３の例では３２秒からΔＴ引いた値が次の３２秒の受信タイミングである。簡易ＩＤ２０は４秒ごとに送信されるため、簡易ＩＤ２０の受信タイミングの補正はタイマーＴ１の値からΔＴ×ｎ／８を引く。ｎは簡易ＩＤ２０のｎ番目の受信タイミングである。そして次の３２秒の受信タイミングでも無線機ＡのタイマーＴ１との時間誤差ΔＴを計測し、
一つ前のΔＴに加算する。加算した結果のΔＴを用いて前述した補正を行う。以下この補正処理を繰り返していく。
【００４５】
上記補正処理を行うことにより以降の簡易ＩＤ２０（第一の識別信号を含む信号）の受信タイミング及び３２秒ごとのリクエスト信号２１（第二の識別信号を含む信号）あるいは後述するレスポンス信号１８の受信タイミングを無線機Ａの送信タイミングと相対誤差なしに一致させることができる。
【００４６】
現実には計測誤差や３２秒間の温度変化による相対誤差を考慮して後述する受信タイミングで受信を行う。無線機Ａの時計と無線機Ｂの時計の相対誤差をなくすことは、簡易ＩＤ２０の受信時間を必要最低限にすることができ消費電流の削減に大きく貢献する。
【００４７】
そして無線機Ａからの再送があるかもしれないため、リクエスト信号２３が送信されるタイミングで受信を開始する。
【００４８】
前記リクエスト信号２３を受信すれば、チャレンジ信号２４を再送し、前記リクエスト信号２３を受信したタイミングで無線機Ａの時計と無線機Ｂの時計誤差を計測し、再度タイマーＴ１を起動する。そして無線機Ａからの再送があるかもしれないため、リクエスト信号２５が送信されるタイミングで受信を開始する。
【００４９】
前記リクエスト信号２５を受信すれば、チャレンジ信号２６を再送し、前記リクエスト信号２５受信したタイミングで無線機Ａの時計と無線機Ｂの時計誤差を計測し、再度タイマーＴ１を起動する。そして無線機Ａがサーチ信号２７を送信するタイミングで受信を開始し、サーチ信号２７があるかどうか確認する。
【００５０】
もしサーチ信号がなければ、チャレンジ信号２２、２４、２６のどれかが無線機Ａは受信できたとして認証成立と判定し休止状態になる。
【００５１】
もしサーチ信号２７を受信したら、サーチモードに移行する。チャレンジ信号２２、２４、２６のどれかを送信したにもかかわらずサーチ信号２７を受信した場合は、サーチモードに移行してもすぐには機能制限出力を携帯電話１１に出力しない。
【００５２】
サーチモードに移行後、所定時間以内に図２のシーケンスが無線機Ａとの間で成立しなかった場合に機能制限信号を出力する。
【００５３】
サーチモードに移行せずに認証成立の場合は、無線機ＡはタイマーＴ１が４秒の整数倍のタイミングで簡易ＩＤ２０を送信する。
【００５４】
図３のシーケンスを繰り返すことになるが、次の３２秒のタイミングにおいてはリクエスト信号２１とチャレンジ信号２２のやり取りの代わりに図２に示すレスポンス信号１８、確認信号１９のやり取りを行う。そして次の３２秒には再びリクエスト信号２１とチャレンジ信号２２のやり取りを行う。
【００５５】
図４に図２のサーチモードにおける無線機Ａと無線機Ｂの送受信タイミングを示す。図４を参照しながら、前記受信タイミングについて説明する。
【００５６】
（１）は無線機Ａの送信タイミングでＴ５毎にサーチ信号１２を送信する。Ｔ５は一例として２秒である。
【００５７】
（２）は無線機Ｂの受信タイミングであり、Ｔ６ごとにＴ５＋α期間受信を継続する。
Ｔ６は例えば１０秒、αは１０ｍ秒である。
【００５８】
（３）は（２）の無線機Ｂの受信タイミングを拡大した図である。（３）に示すように無線機ＢのＴ５＋α期間の受信は、間欠受信である。
【００５９】
図５は無線機Ａが送信するサーチ信号１２の電文構成と無線機ＢのＴ５＋α期間における受信タイミングを示す図である。図５において（１）はサーチ信号１２の電文構成、（２）は無線機Ｂの受信タイミングである。
【００６０】
サーチ信号１２は、プリアンブルとフレーム同期信号及びデータから構成されている。データはいわゆる識別符号である。
【００６１】
無線機ＢはＴ７ごとにＴ１１だけ受信状態である間欠受信を行っている。
【００６２】
受信期間Ｔ１１の間にサーチ信号１２があるかどうかの受信レベルチェックを行い、前記受信レベルチェックの結果が所定レベル以下であれば受信を中断する。所定レベル以上であれば受信を継続する。
【００６３】
Ｔ１１は例えば２００μ秒と非常に短い時間である。そしてＴ７はサーチ信号１２のプリアンブル長によって決まる。
【００６４】
このようにプリアンブルの継続時間より短い間隔で無線機Ｂは間欠受信することにより、必ずサーチ信号１２のプリアンブルの期間に無線機Ｂは受信タイミングを１回以上有することになり、プリアンブルの期間で受信レベルチェックを行い、受信を継続することができ、よってプリアンブルに続くフレーム同期信号及びデータを受信できる。
【００６５】
図５において無線機Ｂの受信時の電流は１２ｍＡ、受信ＯＦＦ時のベース電流は２ｍＡである。ベース電流はマイコンの動作電流である。
【００６６】
上記説明したようにサーチ信号１２のプリアンブルを長くすることにより、無線機Ｂを間欠受信させることができ、サーチ信号１２を受信できない状態が続いた場合に、無線機Ｂの消費電流を大幅に削減できる。そして無線機ＢはＴ６ごとにＴ５＋α期間だけ間欠受信を行う。
【００６７】
図６はサーチ応答１３以下のサーチモードでの電文構成と受信タイミングを示す。
【００６８】
（１）は送信側から送信される電文構成、（２）は受信側での受信タイミングである。
【００６９】
以下サーチ応答１３を受信する場合の例で説明する。
【００７０】
サーチ信号１２を無線機Ｂが受信するとサーチ応答１３を送信する。サーチ応答１３が送信されるタイミングはあらかじめ無線機Ａと無線機Ｂで約束しておく。無線機Ａはサーチ応答１３が送信されるタイミングからＴ８遅れて受信を開始する。
【００７１】
サーチ応答１３は必ず帰ってくるわけではない。無線機Ｂが近くに存在しない場合は返ってこない。したがって無線機Ａはサーチ応答１３がない場合にはすぐに受信中断することが、電流削減の点から重要である。
【００７２】
サーチ応答１３のプリアンブルの途中で受信を開始するように構成することにより、無線機Ａは図５に示すのと同様にＴ１１という短い時間で受信レベルチェックを行いサーチ
応答１３があるかどうかを判定できる。また受信タイミングや送信タイミングのバラツキ誤差を吸収できる。
【００７３】
サーチ応答１３で説明したが、所期認証シーケンス１０１で用いられる電文についても同様である。サーチ応答１３以下の電文送受信は、無線機Ａと無線機Ｂでタイミングをあらかじめ決めている。すなわち時間同期の取れた状態で送受信を行う。そのため、プリアンブルの途中から受信を開始するように構成することができる。
【００７４】
図７は図３の認証モードにおける認証通信シーケンスであるリクエスト信号２１とチャレンジ信号２２の電文構成と受信タイミングを示している。
【００７５】
図７において、（１）は送信側から送信されるリクエスト信号２１或はチャレンジ信号２２の電文構成である。（２）は受信側での受信タイミングである。
【００７６】
プリアンブルは受信同期を取るために必要は最低限のビット数に設定している。そのため、プリアンブルの途中から受信を開始するように設定していると受信できないので、リクエスト信号２１或はチャレンジ信号２２が送信されるＴ９前に受信を開始してリクエスト信号２１或はチャレンジ信号２２を待つ。
【００７７】
Ｔ９は例えば１ｍ秒である。次の３２秒のレスポンス信号１８と確認信号１９についても図７に示す受信タイミングである。
【００７８】
またサーチ信号２７は図２のサーチ信号１２と同じであり、図５に示す電文構成である。無線機Ｂは再送信号の有無を確認するため、すでに述べたように必ず受信を行う。
【００７９】
再送は図６で示す受信タイミングを用いる。これにより、短時間に再送信号の有無を検出でき、再送信号がない場合にはすぐに受信を中断でき電流削減につながる。
【００８０】
以上説明した本実施例の動作における本願発明部分について、さらに詳細に以下に説明する。
【００８１】
図８は図３に示す認証モードにおける簡易ＩＤ２０の電文構成と受信タイミングである。（１）は無線機Ａから送信される簡易ＩＤ２０の電文構成、（２）は無線機Ｂの受信タイミングである。
【００８２】
図８に示す簡易ＩＤ２０において、データは第一の識別信号であり、例えば８ビットである。なお、図７（１）に示す電文構成のデータが第二の識別信号であり、８ビットの整数倍に設定されている。前記第二の識別信号は図３に示すリクエスト信号２１に含まれている。
【００８３】
無線機Ｂにおける簡易ＩＤ２０の受信は受信レベルをチェックするだけである。受信レベルチェック期間は簡易ＩＤ２０が送信されている前後を含んで行われる。すなわち簡易ＩＤ２０が送信されるＴ１０前から受信を開始する。この理由は無線機Ａと無線機Ｂの時計誤差や送受信タイミングの処理ばらつきから発生する時間誤差があっても簡易ＩＤが送信されている期間を含んで必ず受信レベルチェックを行うためである。
【００８４】
そしてすでに述べたように受信レベルチェックの結果、受信レベルが所定レベル以下であれば、無線機Ａとの距離が所定距離以上離れているとして無線機Ｂを構成する第二の認証手段１０に内蔵するカウンターをインクリメントする。そして前記カウンターが所定のカウント数になったら、携帯電話１１に機能制限信号を出力する。
【００８５】
受信レベルが所定レベル以上であれば、簡易ＩＤ２０を受信したとみなし前記カウンターをクリアする。すなわち無線機Ａからの４秒毎の簡易ＩＤの受信レベルが連続して所定レベル以下でかつ所定回数に達したときに使用制限信号を出力し、前記受信レベルが所定レベル以上であれば簡易ＩＤ２０を受信したものとみなし使用制限を行わない。
【００８６】
上記のように受信した信号を復調する必要が無く受信レベルをチェックするだけでよいので、簡易ＩＤ２０のプリアンブル及び第一の識別信号は受信レベルがチェックできるのに必要な長さだけあればよい。すなわち３２秒ごとに受信信号を復調してＩＤを照合する必要のあるリクエスト信号２１のプリアンブル及び第二の識別信号に比べ簡易ＩＤ２０の信号長を極端に短縮できる。
【００８７】
上記簡易ＩＤ２０の受信レベルチェックの方法として、先に述べたように時計誤差などを考慮して簡易ＩＤの送信されている前後を含んだ所定時間の間受信レベルをチェックし、受信レベルの最大値をチェックした受信レベルとしても良いし、平均値或いは中央値をチェックした受信レベルとしても良い。
【００８８】
また所定時間の間ずっと受信レベルをチェックするのではなく、前記受信レベルが所定のレベルを越えた時点で簡易ＩＤ２０を受信したとみなして受信を中断終了して前記カウンターをクリアし、所定時間経過しても受信レベルが所定のレベルを超えない場合は、簡易ＩＤ２０を受信できなかったとみなして受信を終了し、前記カウンターをインクリメントするようにしても良い。
【００８９】
以上の無線機Ｂの動作をフローチャートで示したものを図９に示す。図９を参照しながら再度無線機Ｂの動作を説明する。
【００９０】
待機状態Ｓ５０に続く処理Ｓ５１において簡易ＩＤ２０を受信するタイミングかどうか判断する。そしてＮＯであれば再び待機状態Ｓ５０に戻る。ＹＥＳであれば処理Ｓ５２において時計誤差などを考慮して設定した所定時間をカウントするタイマーをスタートさせるとともに受信レベルチェックを開始する。
【００９１】
そして処理Ｓ５３において受信レベルが所定レベル以上かどうかを判定し、所定レベル以上であればすぐに受信レベルチェックを中断終了（処理Ｓ５９）し、処理Ｓ６０において前記カウンターをクリアする。そして処理Ｓ６１において機能制限出力をＯＦＦし、待機状態５０に戻る。
【００９２】
一方、処理Ｓ５３において受信レベルが所定レベル以下であれば、処理Ｓ５４において、前記所定時間が経過したかどうかを判定し、所定時間を経過していなければ処理Ｓ５３に戻る。
【００９３】
所定時間を経過した場合は処理Ｓ５５において受信レベルチェックを終了し、処理Ｓ５６において前記カウンターをインクリメントする。そして処理Ｓ５７において前記カウンターのカウント値が所定数に達したかどうかを判定し、所定数に達した場合は処理Ｓ５８において機能制限出力をＯＮし、待機状態Ｓ５０に戻る。
【００９４】
一方、処理Ｓ５７において前記カウンターのカウント値が所定数に達しない場合は待機状態Ｓ５０に戻る。
【００９５】
前記所定のレベルとして、二つのレベルを設けても良い。すなわち、簡易ＩＤを受信したとみなして機能制限出力を行っていない状態のときには例えば所定のレベルとして−９
５ｄＢｍとする。そして簡易ＩＤを受信しなかったとみなして機能制限出力を行った状態の時には例えば所定のレベルとして−９２ｄＢｍとする。
【００９６】
このように所定のレベルにヒステリシスを持たせることにより、簡易ＩＤ２０を受信する毎に機能制限出力を出力したりしなかったりというばたつきを防止することができる。
【００９７】
なお、図１における第一の送受信手段３及び第二の送受信手段８は無線送受信を行う。第一の時間制御４及び第二の時間制御手段９は、送信及び受信タイミングを制御する。第一の認証手段５及び第二の認証手段１０は認証通信が成立の判定や機能制限信号を出力するかどうかの判定を行う。
【００９８】
なお、上記実施の形態で説明した数値は、説明するための一例でありこれに限定するものではない。
【００９９】
なお、本実施の形態で説明した図１の手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【０１００】
以上のように本発明は、例えばワイヤレスキーの電池寿命と置き忘れ、盗難防止の利便性の両立を図ることができる電子機器を提供できる。また、それ以外にも低消費電力を必要とする無線装置において利用できる。
【図面の簡単な説明】
【０１０１】
【図１】本発明の実施の形態における無線装置のブロック図
【図２】本発明の実施の形態における無線装置のサーチモードでの通信シーケンス図
【図３】本発明の実施の形態における無線装置の認証モードでの通信シーケンス図
【図４】本発明の実施の形態における無線装置のサーチモードにおける無線機Ａと無線機Ｂの送受信タイミング図
【図５】本発明の実施の形態における無線装置のサーチ信号の電文構成と受信タイミング図
【図６】本発明の実施の形態における無線装置のサーチモードの電文構成と受信タイミング図
【図７】本発明の実施の形態における無線装置のサーチモードの電文構成と受信タイミング図
【図８】本発明の実施の形態における無線装置の簡易ＩＤの電文構成と受信タイミング図
【図９】本発明の実施の形態におけるフローチャート
【符号の説明】
【０１０２】
１  第一のアンテナ
２  無線機Ａ
３  第一の送受信手段
４  第一の時間制御手段
５  第一の認証手段
６  第二のアンテナ
７  無線機Ｂ
８  第二の送受信手段
９  第二の時間制御手段
１０  第二の認証手段
１１  携帯電話
【図１】
2008066821.tif 000003
【図２】
2008066821.tif 000004
【図３】
2008066821.tif 000005
【図４】
2008066821.tif 000006
【図５】
2008066821.tif 000007
【図６】
2008066821.tif 000008
【図７】
2008066821.tif 000009
【図８】
2008066821.tif 000010
【図９】
2008066821.tif 000011